(57)【要約】【課題】携帯端末の外観を損なわない態様で携帯端末に鏡を備えさせた携帯端末を提供する。【解決手段】鏡面部４２１は、筐体４１１の表示画面の位置する面と反対の面に設けられている。鏡面部４２１の表面の両端付近にはガイド溝４２１ａおよびガイド溝４２１ｂが設けられている。また、筐体４１１の表示裏面には、ガイド溝４２１ａおよびガイド溝４２１ｂに対応する（図示しない）ガイドレールが設けられている。これにより、鏡面部４２１は、図１（ａ）に示す矢印方向にスライド移動することができる。筐体４１２の操作ボタンが備えられた面と反対の面にも、上記筐体４１１における鏡面部４１１と同様の構造で鏡面部４２２が設けられている。鏡面部４２２も図１（ａ）に示す矢印方向にスライド移動することができる。【選択図】      図１
0003132614.tif 000002
【実用新案登録請求の範囲】
【請求項１】
ガイド溝が設けられた鏡面部と、
携帯端末を構成する筐体の裏表面に沿って設けられた前記ガイド溝に対応するガイド部と
を備え、
前記鏡面部における鏡面は、前記筐体の裏表面側を向くことを特徴とする携帯端末。
【考案の詳細な説明】
【技術分野】
【０００１】
本考案は、鏡を備えた携帯端末に関し、特に携帯端末の外観を損なうことなく鏡を備えた携帯端末に関する。
【背景技術】
【０００２】
近年、携帯電話の普及が進み、ほとんどの人々が携帯電話を持つようになった。そして、携帯電話の機能が充実し、通話のみならず携帯電話により、インターネットへの接続やデータ送受信も行えるようになった。このような状況の助けもあり、携帯電話の所有者は必ずと言っていいほど携帯電話を携帯して外出する。
【０００３】
このような状況の中、従来、携帯電話の背面に取り付けるための両面テープを裏面に貼着し表面を鏡面とした鏡本体と、この鏡本体とほぼ同形で鏡本体の一端に開閉自在に軸支された蓋とを備えた携帯電話用鏡が提案されていた（例えば、特許文献１参照。）。携帯電話用鏡は携帯電話の筐体の所定の面に貼り付けて使用する。これにより、別途鏡を携帯しなくても携帯電話さえ携帯していれば、鏡を使用できる。
【特許文献１】実用新案登録第３０９４４５５号公報（図１）
【考案の開示】
【考案が解決しようとする課題】
【０００４】
しかしながら、上述の携帯電話用鏡は携帯電話の筐体の所定の面に貼り付けて使用するため、携帯電話の外観が損なわれる可能性がある。携帯電話の外観を損なわない態様で、携帯電話に鏡を備えられれば便利である。以上のことは、携帯電話のみならず携帯端末全般にも当てはまることである。
【０００５】
そこで、本考案は、携帯端末の外観を損なわない態様で携帯端末に鏡を備えさせた携帯端末を提供することを目的とする。
【課題を解決するための手段】
【０００６】
本考案は、上記課題を解決するためになされたものであり、本考案の携帯端末は、ガイド溝が設けられた鏡面部と、携帯端末を構成する筐体の裏表面に沿って設けられた上記ガイド溝に対応するガイド部とを備え、上記鏡面部における鏡面は、上記筐体の裏表面側を向くことを特徴とするものである。これにより、鏡面部を携帯端末の裏面においてスライドさせて移動させるという作用をもたらす。
【考案の効果】
【０００７】
本考案によれば、携帯端末に鏡を備えても携帯端末の外観を損なわないという優れた効果を奏し得る。
【考案を実施するための最良の形態】
【０００８】
次に本考案の実施の形態について図面を参照して詳細に説明する。なお、本考案における携帯端末は、例えば携帯電話、携帯型の音楽再生装置等の携帯できる全ての端末を含むものである。以下に示す本考案の実施の形態においては、本考案の携帯端末を携帯電話に適用した例を示す。
【０００９】
図１は、本考案の別の実施の形態における携帯電話４００および携帯電話５００の一例を示す図である。図１（ａ）は、本考案の別の実施の形態における携帯電話４００の一例を示す図である。携帯電話４００は、その内部に（図示しない）表示回路等を収めた筐体４１１の所定の面、およびその内部に（図示しない）操作回路等を収めた筐体４１２の所定の面にそれぞれ鏡面を備えた鏡面部４２１および鏡面部４２２を備えている。
【００１０】
鏡面部４２１は、筐体４１１の表示画面の位置する面と反対の面（以下、表示裏面と呼ぶ。）に設けられている。鏡面部４２１の表面の両端付近にはガイド溝４２１ａおよびガイド溝４２１ｂが設けられている。また、筐体４１１の表示裏面には、ガイド溝４２１ａおよびガイド溝４２１ｂに対応する（図示しない）ガイドレールが設けられている。これにより、鏡面部４２１は、図１（ａ）に示す矢印方向にスライド移動することができる。
【００１１】
鏡面部４２２も上記説明した鏡面部４２１の構造と同様の構造になっている。すなわち、鏡面部４２２は、筐体４１２の操作ボタンが備えられた面と反対の面（以下、操作裏面と呼ぶ。）に設けられている。鏡面部４２２の表面の両端付近にはガイド溝４２２ａおよびガイド溝４２２ｂが設けられている。また、筐体４１２の操作裏面には、ガイド溝４２２ａおよびガイド溝４２２ｂに対応する（図示しない）ガイドレールが設けられている。これにより、鏡面部４２２は、図１（ａ）に示す矢印方向にスライド移動することができる。
【００１２】
図１（ｂ）は、本考案の別の実施の形態における携帯電話５００の一例を示す図である。携帯電話５００は、その内部に（図示しない）表示回路等を収めた筐体５１１の所定の面、およびその内部に（図示しない）操作回路等を収めた筐体５１２の所定の面にそれぞれ鏡面を備えた鏡面部５２１および鏡面部５２２を備えている。
【００１３】
鏡面部５２１は、筐体５１１の表示裏面に設けられている。本考案の別の実施の形態における携帯電話４００の鏡面部４２１は、筐体４１１から移動することができる構造になっているのに対して、本考案の別の実施の形態における携帯電話５００の鏡面部５２１は筐体５１１の表示裏面に貼り付けられており、鏡面部５２１は筐体５１１から移動することができない構造になっている。また、筐体５１１の表示裏面には、鏡面部５２１を保護する保護カバー５２３が図１（ｂ）に示すようなスライド移動できる態様で取り付けられている。
【００１４】
鏡面部５２２も上記説明した鏡面部５２１の構造と同様の構造になっている。すなわち、鏡面部５２２は、筐体５１２の操作裏面に設けられている。そして、鏡面部５２２は筐体５１２の操作裏面に貼り付けられており、鏡面部５２２筐体５１２から移動することができない構造になっている。また、筐体５１２の操作裏面には、鏡面部５２２を保護する保護カバー５２４が図１（ｂ）に示すようなスライド移動できる態様で取り付けられている。
【００１５】
なお、図１（ａ）においては、筐体４１１および筐体４１２の両方に鏡面部を設けた例を示してあるが、筐体４１１および筐体４１２のいずれか一方に鏡面部を設けるものであってもよい。また、図１（ｂ）においては、筐体５１１および筐体５１２の両方に鏡面部を設けた例を示してあるが、筐体５１１および筐体５１２のいずれか一方に鏡面部を設けるものであってもよい。
【００１６】
このように、本考案の実施の形態によれば、以上のように携帯電話４００および５００を構成すれば、別途鏡を携帯する必要がなくなり、携帯する荷物を少なくすることができる。また、携帯電話４００および５００における鏡面部を使用しない場合、外観上筐体の一部のように筐体外部表面に鏡面部を位置させておけるため、外観を損なわない見栄えの良い携帯電話を実現することができる。
【００１７】
以上のように本考案の実施の形態では、折り畳み形携帯電話について説明したが、折り畳み形携帯電話以外の携帯電話でも同様に本考案を適用することができる。また、本考案の携帯端末は、携帯電話のみならず、例えば携帯型の音楽再生装置等の携帯端末全般にも適用することができる。
【００１８】
なお、本考案の実施の形態は本考案を具現化するための一例を示したものであり、これに限定されるものではなく本考案の要旨を逸脱しない範囲において種々の変形を施すことができる。
【図面の簡単な説明】
【００１９】
【図１】本考案の別の実施の形態における携帯電話４００および携帯電話５００の一例を示す図である。
【符号の説明】
【００２０】
４１１、４１２、５１１、５１２  筐体
４２１、４２２、５２１、５２２  鏡面部
４２１ａ、４２１ｂ、４２２ａ、４２２ｂ  ガイド溝
４００、５００  携帯電話
５２３、５２４  保護カバー
【図１】
0003132614.tif 000003